(57)【要約】【課題】            人間工学的操作を可能とし、以って意図しない誤操作の阻止を保証する光学システムのための同軸的操作ノブ。【解決手段】        互いに同軸的に配置されると共に、互いに独立に回動可能に構成された第１回動要素及び第２回動要素を有し、前記第１回動要素は、光学システムに着座し、前記第２回動要素は、該第１回動要素の下流域に配され、前記第１回動要素及び前記第２回動要素は、それぞれ、少なくとも部分的に円錐状に構成され、前記第１回動要素は、前記第２回動要素と直接対向する側面を有し、かつ該第２回動要素よりも大きい直径を有し、前記第１回動要素と直接対向する前記第２回動要素の側面には、（周縁）段差部が形成され、前記（周縁）段差部は、前記第１回動要素の直径と実質的に等しい大きさの直径を有するよう構成される、光学システムのための操作ノブ。【選択図】          図３
2004310093.tif 000002
【特許請求の範囲】
【請求項１】
互いに同軸的に配置されると共に、互いに独立に回動可能に構成された第１回動要素及び第２回動要素を有し、
前記第１回動要素は、光学システムに着座し、前記第２回動要素は、該第１回動要素の下流域に配され、
前記第１回動要素及び前記第２回動要素は、それぞれ、少なくとも部分的に円錐状に構成され、
前記第１回動要素は、前記第２回動要素と直接対向する側面を有し、かつ該第２回動要素よりも大きい直径を有し、
前記第１回動要素と直接対向する前記第２回動要素の側面には、段差部が形成され、
前記段差部は、前記第１回動要素の直径と実質的に等しい大きさの直径を有する
よう構成される
光学システム用の操作ノブ。
【請求項２】
前記第１回動要素及び前記第２回動要素は、何れも、その外周面に、複数のみぞ、複数のノッチ又は複数のリブから構成されるプロファイル輪郭形状を有すること
を特徴とする請求項１に記載の操作ノブ。
【請求項３】
前記第１回動要素及び前記第２回動要素は、何れも、その外周面に、ゴム状嵌込部材を有すること
を特徴とする請求項１に記載の操作ノブ。
【請求項４】
前記第１回動要素及び前記第２回動要素は、何れも、部分的に円錐状のボデーを有し、及び該ボデーは、それぞれ、その径大部に、円筒状段部を有すること
を特徴とする請求項１に記載の操作ノブ。
【請求項５】
前記第１回動要素及び前記第２回動要素の前記部分的に円錐状のボデーは、何れも、操作ノブの回転軸に関し５°〜１０°の角度をなすよう構成されること
を特徴とする請求項４記載の操作ノブ。
【請求項６】
部分的に円錐状の前記第１回動要素は、光学システム側において５７．０〜６３．０ｍｍの最大直径（Ｄ１）を有し、かつ部分的に円錐状の前記第２回動要素側において５１．５〜５６．５ｍｍの直径（Ｄ２）を有すること、及び
部分的に円錐状の前記第２回動要素は、部分的に円錐状の前記第１回動要素側において３４．０〜３８．０ｍｍの最大直径（Ｄ３）を有し、かつその先端部側において２９．３〜３３．３ｍｍの直径（Ｄ４）を有すること
を特徴とする請求項１に記載の操作ノブ。
【請求項７】
前記第１回動要素及び前記第２回動要素は、それぞれ、円錐状のボデーを有し、該ボデーは、それぞれ、その最大直径を有する端部から円筒状の部分が延在すること
を特徴とする請求項６記載の操作ノブ。
【請求項８】
前記円筒状の部分は、９ｍｍの幅を有すること
を特徴とする請求項７記載の操作ノブ。
【請求項９】
前記第１回動要素と前記第２回動要素の間の前記段差部によって、分離ギャップが形成されること
を特徴とする請求項１に記載の操作ノブ。
【請求項１０】
円錐状狭窄部が、前記第１回動要素の軸線の方向に形成されると共に、前記第２回動要素の前記段差部は、円錐状のフランク部を有すること、及び
前記円錐状狭窄部と前記円錐状フランク部は、前記第１回動要素と前記第２回動要素の間の前記分離ギャップが、該第１回動要素の外表面の端部に正確に形成されるように互いに配置されること
を特徴とする請求項９記載の操作ノブ。
【請求項１１】
前記第１回動要素及び前記第２回動要素は、射出成形されるポリマーによって構成されること
を特徴とする請求項１に記載の操作ノブ。
【請求項１２】
前記第１回動要素及び前記第２回動要素は、精密加工されるステンレス鋼によって構成されること
を特徴とする請求項１に記載の操作ノブ。
【発明の詳細な説明】
【技術分野】
【０００１】
本発明は、光学システムのための操作ノブに関する。更に、本発明は、当該操作ノブを有する顕微鏡に関する。
【背景技術】
【０００２】
合焦ノブは、通常、互いに同軸的に配されるかつ顕微鏡の側部に取付けられる複数の回動要素から構成される。そのうち、大きいほうの合焦ノブは、大略的な焦点合わせに利用され、小さいほうの合焦ノブは、精密焦点合わせに利用される。
【発明の開示】
【発明が解決しようとする課題】
【０００３】
従来の合焦（ピント）調節機構は、合焦粗調節機構の範囲の外周面が余りにも小さいので、合焦粗調節機構をしっかりとつかむ（つまむ）ことができないという欠点を有することがしばしばある。更に、合焦精密調節機構は、余りにも（幅）広く延在しているので、合焦粗調節機構の操作中、指と接触等するため邪魔になる。更に、この２つの回動要素の円錐状の外形は、その傾斜が余りにもきついので、操作を行う指がその軸線方向に滑ってしまうこともある。また、その余りにもきつい表面形状により、指の先端部の触覚の感度は、長時間にわたって不利な影響を受ける。更に、利用者の手と回動要素との間の摩擦的粘着力は必要以上に減じられるため、調節精度も低下し、更には、利用者が精密焦点合わせをしている最中に誤って合焦粗調節機構を作動してしまうという危険も生じる。これは、小さい方の合焦精密調節機構がシリンダとしての大きい方の合焦粗調節機構の中に嵌入するような互いに対する位置関係でこの２つの回動要素が配置されるため、合焦精密調節機構の操作中に合焦粗調節機構の境界面に接触する可能性があり、従って合焦粗調節機構が誤って作動してしまうからである。
【０００４】
このような事態は、とりわけ、非機械的伝動機構を有する顕微鏡に生じる（機械的伝動機構を有する場合は、合焦粗調節機構は、段階的に（メカニカルに）運動するので、このような危険は殆ど存在しない。）。このような顕微鏡が合焦粗調節ノブ及び合焦精密調節ノブのためにモータ制御機構を有する場合はこのような危険は更に起こりやすい。このような顕微鏡では、合焦調節機構は、殆ど摩擦なしに作動するため、意図しない調節操作が行われてしまったり、場合によっては観察対象及び／又は光学システムが損傷されたり、更に最悪の場合は観察対象及び／又は光学システムが破壊されたりすることもある。従来の合焦調節機構では、この合焦粗調節機構の意図しない活性化という効果は、利用者の指が合焦粗調節機構の境界面にどの程度既に近づいているかを合焦精密調節機構のための回動要素が、触覚を通じて、十分には示さないという現実によって、更に大きくなる。
【０００５】
それゆえ、本発明の課題は、人間工学的操作を可能とし、以って意図しない誤操作の阻止を保証する光学システムのための同軸的操作ノブを提供することである。
【課題を解決するための手段】
【０００６】
上記の課題を解決するために、本発明の一視点による光学システムのための操作ノブは、互いに同軸的に配置されると共に、互いに独立に回動可能に構成された第１回動要素及び第２回動要素を有し、前記第１回動要素は、光学システムに着座し、前記第２回動要素は、該第１回動要素の下流域に配され、前記第１回動要素及び前記第２回動要素は、それぞれ、少なくとも部分的に円錐状に構成され、前記第１回動要素は、前記第２回動要素と直接対向する側面を有し、かつ該第２回動要素よりも大きい直径を有し、前記第１回動要素と直接対向する前記第２回動要素の側面には、（周縁）段差部が形成され、前記（周縁）段差部は、前記第１回動要素の直径と実質的に等しい大きさの直径を有するよう構成されることを特徴とする（形態１・基本構成）。
【発明の効果】
【０００７】
本発明の独立請求項１により、所定の課題として掲げた効果が、上述の通り達成される。即ち、本発明の光学システムのための操作ノブは、人間工学的に操作することが可能であり、以って意図しない誤操作の阻止を保証する（基本構成）。
更に、各従属請求項により、付加的な効果が後述の通りそれぞれ達成される。
【発明を実施するための最良の形態】
【０００８】
以下に、本発明の好ましい実施の形態を示すが、これらは従属請求項の対象でもある。
（２）  上記の操作ノブにおいて、前記第１回動要素及び前記第２回動要素は、何れも、その外周面に、複数のみぞ、複数のノッチ又は複数のリブから構成されるプロファイル輪郭形状を有することが好ましい（形態２）。
（３）  上記の操作ノブにおいて、前記第１回動要素及び前記第２回動要素は、何れも、その外周面に、ゴム状嵌込部材を有することが好ましい（形態３）。
（４）  上記の操作ノブにおいて、前記第１回動要素及び前記第２回動要素は、何れも、部分的に円錐状のボデーを有し、及び該ボデーは、それぞれ、その径大部に、円筒状段部を有することが好ましい（形態４）。
（５）  上記の操作ノブにおいて、前記第１回動要素及び前記第２回動要素の前記部分的に円錐状のボデーは、何れも、操作ノブの回転軸に関し５°〜１０°の角度（傾斜角）をなすよう構成されることが好ましい（形態５）。
（６）  上記の操作ノブにおいて、部分的に円錐状の前記第１回動要素は、光学システム側において５７．０〜６３．０ｍｍの最大直径（Ｄ１）を有し、かつ部分的に円錐状の前記第２回動要素側において５１．５〜５６．５ｍｍの直径（Ｄ２）を有すること、及び部分的に円錐状の前記第２回動要素は、部分的に円錐状の前記第１回動要素側において３４．０〜３８．０ｍｍの最大直径（Ｄ３）を有し、かつその先端部（前端面）側において２９．３〜３３．３ｍｍの直径（Ｄ４）を有することが好ましい（形態６）。
（７）  上記の操作ノブにおいて、前記第１回動要素及び前記第２回動要素は、それぞれ、円錐状のボデーを有し、該ボデーは、それぞれ、その最大直径を有する端部から円筒状の部分が延在することが好ましい（形態７）。
（８）  上記の操作ノブにおいて、前記円筒状の部分は、９ｍｍの幅を有することが好ましい（形態８）。
（９）  上記の操作ノブにおいて、前記第１回動要素と前記第２回動要素の間の前記段差部によって、（環状）分離ギャップが形成されることが好ましい（形態９）。
（１０）  上記の操作ノブにおいて、（部分的に）円錐（コーン）状狭窄部が、前記第１回動要素の軸線の方向に形成されると共に、前記第２回動要素の前記（周縁）段差部は、（部分的に）円錐（コーン）状のフランク部を有すること、及び前記（部分的）円錐（コーン）状狭窄部と前記（部分的）円錐（コーン）状フランク部は、前記第１回動要素と前記第２回動要素の間の前記分離ギャップが、該第１回動要素の外表面の（下流側の）端部に正確に形成されるように互いに配置されることが好ましい（形態１０）。
（１１）  上記の操作ノブにおいて、前記第１回動要素及び前記第２回動要素は、射出成形されるポリマーによって構成されることが好ましい（形態１１）。
（１２）  上記の操作ノブにおいて、前記第１回動要素及び前記第２回動要素は、精密加工されるステンレス鋼によって構成されることが好ましい（形態１２）。
【０００９】
本発明は、操作ノブが、第１回動要素と第２回動要素を有し、第２回動要素が、第１回動要素と直接対向する側面（側部）に、第１回動要素の（第２回動要素との最下流における近接部位の）直径の大きさと実質的に等しい寸法（直径）を有し周に延在する（周縁）段差部を有するため有利である。
【００１０】
第１回動要素及び第２回動要素は、それぞれ、外周面を画成（規定）する。この２つの回動要素のために、これら外周面は十分な（良好な）掴持（グリップ）領域を構成する。その幾何学的形態は、指が小さい利用者でも、合焦粗調節機構（第１回動要素）の活性化（作動）中に第２回動要素（合焦精密調節機構）にその指が衝突しない（引っ掛からない）ようなものが選択される。各回動要素の円錐形状は、指が滑り外れない程度の（緩い）傾斜で、かつ利用者の手の大きさの相違に対応して快適に操作可能な種々の直径ないし幅を提供するよう、また適宜の傾斜を構成するようなものが選択される。本発明により、第１回動要素（合焦粗調節機構）は、第２回動要素（合焦精密調節機構）の活性化（操作ないし作動）中、誤って回転されることはなくなる。利用者の指がこの２つの回動要素の一方の端部に接近すると、利用者は明確な触覚的応答を得る（明確に触覚的に知覚することができる）。
【００１１】
本発明の操作ノブは、顕微鏡に適用するととりわけ有利である。本発明の一実施形態では、第１回動要素及び第２回動要素は、それぞれ、その外周面に複数の溝、複数のノッチ又は複数のリブとして構成される輪郭（面ないし形状）を有する。本発明の更なる一実施形態では、第１回動要素及び第２回動要素は、それぞれ、その外周面にゴム状嵌込部材を有する。
【００１２】
以下に、本発明の実施例を図面を参照して詳細に説明する。なお、以下の実施例は、発明の理解の容易化のためのものであって、本発明の技術的思想を逸脱しない範囲において当業者により実施可能な付加・置換等を排除することは意図しない。また、特許請求の範囲に付した図面参照符号も発明の理解の容易化のためのものであって、本発明を図示の態様に限定することは意図しない。なお、これらの点に関しては、補正・訂正後においても同様である。
【実施例】
【００１３】
図１に、第１回動要素３１及び第２回動要素３２を有する従来技術の操作ノブを示した。第１回動要素３１及び第２回動要素３２は、軸線３３に関し同軸的に配設される。第１回動要素３１は、第２回動要素３２よりもより大きい直径を有する。同軸的に配置（配設）された２つの回動要素３１及び３２は、通常の使用例では、第１回動要素３１によって、合焦粗調節機構が作動され、第２回動要素３２によって、合焦精密調節機構が作動される。本質的に、第１回動要素３１及び第２回動要素３２は、円錐形状を有する。第１回動要素３１は、第２回動要素３２と対向する前部領域３４を有する。
【００１４】
図２に、操作ノブが配設されている顕微鏡スタンド１を示した。顕微鏡スタンド１は、基体要素３を有する。基体要素３は、主要水平部材３ａ、スタンド支柱３ｂ及びスタンド脚部３ｃの３つの主要部分からなる。顕微鏡（載物）ステージ支持要素４は、スタンド支柱３ｂに取付けられる。少なくとも１つの光源５が、スタンド支柱３ｂの顕微鏡ステージ支持要素４と反対側に配される。この図示の例では、２つの光源５が配されている。２つの光源５の一方は、透過光照明に利用され、他方は、反射光ないし落射光照明に利用される。本質上、主要水平部材３ａ、スタンド支柱３ｂ及びスタンド脚部３ｃは、同じ横幅を有する。スタンド支柱３ｃの領域に関しスタンドの２つの側面の何れにも、支持要素６が配設される。この２つの支持要素６は両方とも、スタンド脚部３ｃの領域において、スタンド脚部３ｃの横幅よりも（スタンド支柱３ｂの横幅が）広くなるよう配設されることがとりわけ重要である。
【００１５】
スタンド脚部３ｃは、スタンド支柱３ｂと結合している端部と反対側の端部の範囲が凸状に湾曲しており、その凸状湾曲領域７にディスプレイ８を有する。ディスプレイ８は、利用者がパラメータデータを入力したり特別な測定モードを呼び出したりするためのタッチスクリーンを形成することもできる。ディスプレイ８がタッチスクリーンとして構成されていない場合、顕微鏡１のデータの実際の調節（設定）状態は、ディスプレイ８に視覚的に表示される。更に、合焦（ピント合せ）ノブ９が、操作ノブとして、顕微鏡スタンドの少なくとも一方の側面のスタンド脚部３ｃと支持要素６との間の領域に配される。例えば、顕微鏡ステージ支持要素４の高さは、合焦ノブ９によって調節することができる。合焦ノブ９は、互いに同軸的に配される第１回動要素３１と第２回動要素３２とから構成される（このこと自体は従来技術から既知ではある）。第２回動要素３２は、顕微鏡ステージ（載物台）又は顕微鏡ステージ支持要素４の（位置の）精密調節に利用される。第１回動要素３１は、（それら要素の位置の）粗調節に利用される。精密調節を第２回動要素３２に割り当て、かつ粗調節を第１回動要素３１に割り当てることがとりわけ有利なのである。更に、操作ノブ３０に付加的な機能を幾つか割り当てることも可能である。また、操作ノブ３０の周囲の範囲に、顕微鏡の複数の機能を選択することができる活性化要素１０を幾つか設けることもできる。これら活性化要素１０は、押しボタンとして構成される。顕微鏡の機能としては、例えば、フィルタの切換え、アパーチャの選択、タレット（対物レンズレボルバ）の回転等がある。主要水平部材３ａの前端部１１には、接眼レンズ（ポート）のためのフランジ１２が形成され、このフランジ１２を介して（接眼レンズと）少なくとも１つの対物レンズが配設される（不図示）タレット１３との間の光学的導通状態（光路）が形成される。支持要素６には、電源スイッチ１４とソケット要素１５が設けられる。このソケット要素１５を介して、顕微鏡１は、幾つかの外付操作要素と接続することができる。また、ソケット要素１５に、データ伝送用ケーブル（不図示）を接続することも可能である。
【００１６】
図３に、本発明の操作ノブ２０の第一実施例の側面図を示した。操作ノブ２０は、通常、光学システム１００の粗調節及び精密調節に使用される。光学システム１００は、例えば、標準的な顕微鏡１である。本発明の操作ノブ２０は、位置決め（位置合せ）のための最も適切な要素である。図３では、光学システム１００は一部しか示していないが、これは単に操作ノブ２０が光学システム１００に配設されていることのみが示されていればよいからである。操作ノブ２０は、第１回動要素２１と第２回動要素２２とから構成され、これらは何れも共通の軸線２３に関し同軸的（同心）に配置される。第１回動要素２１及び第２回動要素２２は、軸線２３の周りで互いに独立的に回動することができる。第１回動要素２１は、光学システム１００と直接当接（接触）する。第２回動要素２２は、第１回動要素２１の（光学システム１００を基点とし該システム１００から遠ざかる方向へ進行する仮想の流れ（ないし軸線２３の向き）に関し）下流域に配置される。第１回動要素２１及び第２回動要素２２は、少なくとも部分的に円錐状の形状を有し、第１回動要素２１は、第２回動要素２２と直接対向する側面を有し、第１回動要素２１は、第２回動要素２２よりもより大きい直径を有する。更に、第２回動要素２２は、第１回動要素２１と直接対向する側面に周縁段差部２４を有する。周縁段差部２４の外周端は、第１回動要素２１の（第２回動要素２２との最下流における近接部位の）直径にほぼ等しい直径を有する。利用者の指ないし手による光学システム１００の掴持（グリップ）をより確実にするために（図３参照）、第一実施例では、第１回動要素２１及び第２回動要素２２の表面に、プロファイルないし細波状の凹凸形状（輪郭）２５が形成されている。このプロファイルは、複数のみぞ、複数のノッチ又は複数のリブとして構成することも可能である。第一実施例では、第１回動要素２１及び第２回動要素２２の材料は、射出成形用ポリマーである。操作ノブ２０がポリマーで作られれば、冷たさに対する感覚（感受性）の問題は起こらず、製造コストも抑えることができる。この場合、付加的な慣性（重量感）は、埋め込まれる真鍮（等の比重の大きい物質）の質量によって達成することができる。
【００１７】
図４に、第１回動要素２１と第２回動要素２２との連携関係を示すために第１回動要素２１及び第２回動要素２２の一部を断面で表した操作ノブ２０の側面図を示した（第一実施例の一変形例）。図３に既に示した通り、第２回動要素２２は、第１回動要素２１の直径とほぼ等しい直径を有する（周縁）段差部２４を有する。第１回動要素２１は、軸線２３の（図示左方）方向に（狭窄するよう）形成される（部分的に）円錐（コーン）状の狭窄部（凹部）２７を有する。更に、第２回動要素２２の（周縁）段差部２４は、（狭窄部２７の内面に非接触で対応して延在する）（部分的に）円錐（コーン）状のフランク部（嵌合部）２６を有するため、この２つの回動要素は、互いに適合的に（所定の空隙を介して）対向し、及び第１回動要素２１と第２回動要素２２との間に分離ギャップ２８が形成されるような相互関係を有することができる。分離ギャップ２８によって、第２回動要素２２に対する第１回動要素２１の自由な回動が可能となる。即ち、分離ギャップ２８の位置（存在）は、第２回動要素２２を活性化（操作）している間、第１回動要素２１の意図しない活性化が起こらないこと（例えば、誤って一緒に回動しないこと）を保証する。分離ギャップ２８は、第１回動要素２１の直径の領域の（周縁）段差部２４によって形成される。第１回動要素２１及び第２回動要素２２は、それぞれ、手の大きい利用者でも十分良好に掴む（摘む）ことのできる面が形成されるような寸法を有する外周面２９、２９’を有する。更に、（合焦粗調節機構のための）第１回動要素２１と（合焦精密調節機構のための）第２回動要素２２との間の寸法の（大きな）相違により、当該２つの位置調節要素及びそれらの機能の各々の間で明確に区別をすることが可能となる。更に、この（回動要素間の）著しい（寸法の）相違は、（合焦粗調節機構用の）第１回動要素２１の活性化（操作）中、即ち第２回動要素２２の上から第１回動要素２１を掴んで操作する間に、指が短い利用者でもその指の内側（手のひら側）の部分が第２回動要素２２の前端面３５（及び／又は外周面２９’）に引っ掛かったりしないようにすることに寄与する。しかしながら、第２回動要素２２の直径は、正確な調節が可能となるよう十分大きいものを選択することも可能である。この実施例では、外周面２９、２９’は、複数の溝、複数のノッチ又は複数のリブを有するプロファイル輪郭形状を有していない。明確に知覚可能な周エッジ３６、３６’を形成する円錐面から円筒面への幾何学的変化によって第１回動要素２１又は第２回動要素２２の（上流側）端部に関する触覚的応答（例えば、第２回動要素２２を摘んでいる指が第１回動要素２１の直ぐ近くに位置すること、第１回動要素２１を摘んでいる指が光学システム１００の直ぐ近くに位置すること等）が検出される。即ち、この周エッジ３６、３６’は、「操作ノブの終端（上流端）」を覚知させる。第１回動要素２１及び第２回動要素２２は、精密加工されたステンレス鋼から構成することもできる。ステンレス鋼は慣性（質量）が大きいので、調節精度には良好な影響が与えられる。第１回動要素２１及び第２回動要素２２にそれぞれゴム状嵌込部材３７、３７’を配することにより、指の先端から余りにも大量の熱が消散すること（指が冷え過ぎること又は光学システムに体温が伝導すること）が阻止され、更に滑ることなく掴み続け得ることが保証される。
【００１８】
図５に、本発明の操作ノブの第二実施例の側面図を示した。同図には、操作ノブ２０の各回動要素に関する寸法を幾つか示した。操作ノブ２０は、それぞれ部分的に円錐状のボデー４１、４１’を有する第１回動要素２１及び第２回動要素２２を有する。部分的円錐状ボデー４１、４１’は、目盛の付与を可能とし、更に各回動要素２１及び２２の終端であることを明確に示す所定の幅ないし長さ（この実施例では９ｍｍ）を有する円筒状段部（円筒状変化部）４３、４３’を有する。部分円錐状ボデー４１、４１’の円錐角ないし傾斜角４２、４２’（円錐の平面への投影によって生じる二等辺三角形の底辺に対する頂角の半分の角度ないし円錐の中心線に対する傾斜角）は、この実施例では７°である。ゴム状嵌込部材３７、３７’と相伴って、この角度（７°）により、楽に（快適に）操作をすることができ、また、より大きい角度と比べると、この角度は、指のスリップ防止により有効であることが経験的に見出された。位置決めないし調節操作中に、他方の回動要素２１又は２２を活性化してしまわないように、２つの位置決め（回動）要素２１、２２の間の（周縁）段差部２８の上流側（ないし半径方向外方）に分離ギャップ２８が形成される。第１回動要素２１は、この実施例では、光学システム１００に隣接する位置に６０．０ｍｍの最大直径Ｄ１を有する。分離ギャップ２８の領域では、第１回動要素２１は、この実施例では、５４．５ｍｍの直径Ｄ２を有する。第２回動要素２２は、第１回動要素２１と対向する位置において、この実施例では、３６．０ｍｍの最大直径Ｄ３を有する。更に、第２回動要素２２は、その前端面３５の領域に、この実施例では、３１．３ｍｍの直径Ｄ４を有する。
【００１９】
図６に、操作ノブの第二実施例の斜視図を示した。第２回動要素２２には、第１回動要素２１の（第２回動要素２２との最下流における近接部位の）直径とほぼ等しい直径を有する（周縁）段差部２４が形成されている様子を見出すことができる。第２回動要素２２の前端面３５から（上流側に向かって）、第２回動要素２２は、円筒状段部（円筒状変化部）４３’で終端する（部分）円錐状ボデー４１’を有する。円筒状段部４３’（の終端部ないし上流側端部）に、周縁段差部２４が形成されている。第１回動要素２１と周縁段差部２４との間には、分離ギャップ２８が形成されている。第１回動要素２１も、円筒状段部（円筒状変化部）４３で終端する（部分）円錐状ボデー４１を有する。（部分）円錐状ボデー４１、４１’の一部分には、ゴム状嵌込部材３７、３７’が配され又はプロファイルが形成される。
【図面の簡単な説明】
【００２０】
【図１】従来技術による光学システムのための操作ノブの側面図。
【図２】顕微鏡スタンドに配設された操作ノブを含む顕微鏡の斜視図。
【図３】本発明の操作ノブの第一実施例の側面図。
【図４】本発明の操作ノブの第一実施例の一変形例の側面図。但し、第１回動要素と第２回動要素との連携作動機構（態様）を示すため、第１回動要素及び第２回動要素の一部は断面として示した。
【図５】各回動要素の寸法の一例を示した本発明の操作ノブの第二実施例の側面図。
【図６】本発明の操作ノブの第二実施例の斜視図。
【符号の説明】
【００２１】
２０            操作ノブ
２１            第１回動要素
２２            第２回動要素
２３            軸線
２４            周縁段差部
２５            プロファイルないし細波状凹凸形状
２６            （部分的に）円錐（コーン）状フランクないし嵌合部
２７            （部分的に）円錐（コーン）状の狭窄部（凹部）
２８            分離ギャップ
２９、２９’    外周面
３５            （第２回動要素２２の）前端面
３６、３６’    周エッジ
３７、３７’    ゴム状嵌込部材
４１、４１’    部分的に円錐状のボデー
４３、４３’    円筒状段部（円筒状変化部）
【図１】
2004310093.tif 000003
【図２】
2004310093.tif 000004
【図３】
2004310093.tif 000005
【図４】
2004310093.tif 000006
【図５】
2004310093.tif 000007
【図６】
2004310093.tif 000008